(57)【要約】      （修正有）【課題】枕体・マット体等に用いられる、空気袋自動空気制御構造を提供する。【解決手段】複数の弁体１０、２０と、少なくとも一つの空気袋３０と、少なくとも一つの空気管４０とからなる。このうち、空気袋３０内部には弾性部品３１が設けられる。弁体１０、２０は弁構造を有し、弁体１０、２０によって空気が自由に空気袋３０に入出するとともに、空気袋３０の圧力が調節される。空気管４０は空気袋３０・弁体１０、２０と連通する。弁体１０、２０が大気圧力を用いて空気袋３０の正負圧力のバランスを調節することで、空気袋３０が受けた圧力（例えば頭・頚・臀部）の大きさに応じて高・低・軟・硬・形状が自動で調節されて、空気袋３０の反作用力が低減するため、当接部（例えば頭・頚・臀部）が自然で快適な支持力を得られるようになる。更に、空気袋３０の受ける圧力がなくなった後、自動で再充気されて原状回復することで、弾性部品３１の弾性弱化による変形が防止される。【選択図】図３
0003208766.tif 000002
【実用新案登録請求の範囲】
【請求項１】
第一弁体と、第二弁体と、少なくとも一つの空気袋と、少なくとも一つの空気管とからなる、空気袋自動空気制御構造であって、
前記第一弁体は、第一通り穴と、第二通り穴と、作動棒と、第一弾性体とからなり、
前記第一通り穴と前記第二通り穴は、互いに連通し、
前記作動棒の一側は、前記第一通り穴に貫設され、
前記第一弾性体の弾性が前記作動棒に作用することで、前記作動棒は、前記第一通り穴を可動に閉鎖し、
前記第二弁体は、第三通り穴と、第四通り穴と、気密部品と、第二弾性体とからなり、
前記第三通り穴と前記第四通り穴は、互いに連通し、
前記第二弾性体の弾性が前記気密部品に作用することで、前記気密部品は、前記第三通り穴を可動に閉鎖し、
前記空気袋の内部には、弾性部品が設けられ、
前記空気管は、前記空気袋・前記第一弁体の第二通り穴・前記第二弁体の第四通り穴と連通することを特徴とする、空気袋自動空気制御構造。
【請求項２】
更に、前記第一弁体の作動棒には階段部が設けられ、
前記階段部の外径は、前記第一通り穴よりも大きく、前記第一通り穴を閉鎖或は離脱するために用いられることを特徴とする、請求項１に記載の空気袋自動空気制御構造。
【請求項３】
更に、前記第一弁体の作動棒一側は、前記第一通り穴に貫設されるとともに押圧部と結合されることを特徴とする、請求項１に記載の空気袋自動空気制御構造。
【請求項４】
更に、前記空気管は、多方ジョイントと結合されることを特徴とする、請求項１に記載の空気袋自動空気制御構造。
【請求項５】
更に、前記空気管は、第三弁体及び調圧弁と結合され、
前記第三弁体は、第五通り穴と、第六通り穴と、第七通り穴と、第八通り穴と、二つの一方向弁群とからなり、
このうち、一つの前記一方向弁群は、気体が第七通り穴から第五通り穴に一方向にのみ入るようにするために用いられ、
もう一つの前記一方向弁群は、気体が第五通り穴・第八通り穴を経由して第六通り穴に一方向にのみ入るようにするために用いられ、
前記調圧弁は、一方向弁であるとともに、前記空気管が所定の気圧に達した時、気体が前記調圧弁を経由して一方向にのみ排出されるようにするために用いられることを特徴とする、請求項１に記載の空気袋自動空気制御構造。
【請求項６】
更に、前記空気袋自動空気制御構造には、押止部品が設けられ、
前記押止部品は、可動に設けられるとともに、前記第一弁体の作動棒を押さえて下向きに移動させて、前記第一通り穴の開状態を保つために用いられることを特徴とする、請求項１・４・５のいずれか一つに記載の空気袋自動空気制御構造。
【考案の詳細な説明】
【技術分野】
【０００１】
本考案は、空気制御構造に関し、特に、空気袋自動空気制御構造に関する。
【背景技術】
【０００２】
現在見られる、内部に弾性フォームを有する空気袋は、弾性フォームが力を受けた際における可圧縮性と弾性復元性を利用するとともに、弁体における弁口の開放・閉鎖によって、空気袋の気体の吸気（空気袋内を正圧にする）及び排気（空気袋内を負圧にする）を制御することで、空気袋の高さ・形状の調整を補助する作用が得られる。
【０００３】
現在の弁体は、空気袋との結合箇所に設けられた弁口を除く、もう一つの弁口によってのみ、吸気及び排気が実行される。このため、使用者が前記弁体の吸気・排気を操作制御するとともに空気袋を圧迫することで、必要とされる空気袋の高さ・形状を得ようとする場合、特に空気袋の高さを低く調整する時には、同時に制御可能な弁体弁口の押しボタンを押圧するとともに空気袋を圧迫して、空気袋の高さ・形状を低く調整する必要がある。よって、使用者が操作する際に非常に不便である。
【０００４】
加えて、続けて空気袋の高さを低く調整しようとする場合、もう一度同時に弁体弁口の押しボタンを押圧制御するとともに空気袋を圧迫して、空気袋の高さ・形状を低く調整する必要があるため、使用者が操作する際に非常に不便である。また同時に、これは元々調整されていた空気袋の高さ・形状を完全に解除してしまうことと等しく、元々調整されていた空気袋の高さ・形状を記憶することが出来ない。つまり使用者はもう一度地道に操作して、新たに必要な空気袋の高さ・形状になるように調整しなくてはならない。
【０００５】
よって、従来の空気袋における空気制御構造はいずれも、高・低・軟・硬・形状を自動で調整することが出来ず、操作も不便であり、且つ精確性に欠け、空気袋の高さ・形状の微調整が出来ない。
【０００６】
このほか、よく見られる記憶フォーム枕や記憶フォーム座布団に頭・頚部が当接した時、記憶フォームは当接部を除いて、大気圧力が大面積で直接記憶フォームに浸透するため、記憶フォームの当接部が反作用力を生じて頭・頚部を押し上げ続けることになり、睡眠姿勢が悪くなってしまう。このため、睡眠後に首や肩にこりが生じることが多々ある。
【０００７】
また前述のように空気袋の高さを低く調整して使用した後、直ぐに空気袋を充気して元に戻しておかなければ、空気袋内の弾性フォームが圧縮され続けることになり、長期的には弾性が弱化して変形してしまう。
【考案の概要】
【考案が解決しようとする課題】
【０００８】
本考案は、高・低・軟・硬・形状を自動で調整可能な、空気袋自動空気制御構造を提供することを目的とする。
【０００９】
また本考案は、反作用力を低減させることが出来る、空気袋自動空気制御構造を提供することを目的とする。
【００１０】
また本考案は、弾性部品の弾性弱化による変形を防ぐことが出来る、空気袋自動空気制御構造を提供することを目的とする。
【課題を解決するための手段】
【００１１】
上述の目的を達成するために、本考案の空気袋自動空気制御構造は、第一弁体と、第二弁体と、少なくとも一つの空気袋と、少なくとも一つの空気管とからなる。
【００１２】
前記第一弁体は、第一通り穴と、第二通り穴と、作動棒と、第一弾性体とからなる。前記第一通り穴・前記第二通り穴は、互いに連通する。前記作動棒の一側は前記第一通り穴に貫設される。前記第一弾性体の弾性が前記作動棒に作用することにより、前記作動棒は前記第一通り穴を可動に閉鎖する。
【００１３】
前記第二弁体は、第三通り穴と、第四通り穴と、気密部品と、第二弾性体とからなる。前記第三通り穴・前記第四通り穴は、互いに連通する。前記第二弾性体の弾性が前記気密部品に作用することにより、前記気密部品は前記第三通り穴を可動に閉鎖する。
【００１４】
前記空気袋の内部には、弾性部品が設けられる。
【００１５】
前記空気管は、前記空気袋・前記第一弁体の第二通り穴・前記第二弁体の第四通り穴と連通する。
【００１６】
更に、前記第一弁体の作動棒には、階段部が設けられる。前記階段部の外径は前記第一通り穴よりも大きく、前記第一通り穴を閉鎖或は離脱するために用いられる。
【００１７】
更に、前記第一弁体の作動棒一側は、前記第一通り穴に貫設されるとともに押圧部と結合される。
【００１８】
更に、前記空気管は多方ジョイントと結合される。
【００１９】
更に、前記空気管は、第三弁体・調圧弁と結合される。前記第三弁体は、第五通り穴と、第六通り穴と、第七通り穴と、第八通り穴と、二つの一方向弁群とからなる。このうち一つの前記一方向弁群は、気体が第七通り穴から第五通り穴に一方向にのみ入るようにするために用いられる。もう一つの前記一方向弁群は、気体が第五通り穴・第八通り穴を経由して第六通り穴に一方向にのみ入るようにするために用いられる。前記調圧弁は一方向弁であり、前記空気管が所定の気圧に達した時、気体が前記調圧弁を経由して一方向にのみ排出されるようにするために用いられる。
【００２０】
更に、本考案には押止部品が設けられる。前記押止部品は可動に設けられるとともに、前記第一弁体の作動棒を押さえて下向きに移動させて、前記第一通り穴の開状態を保つために用いられる。
【考案の効果】
【００２１】
上述の構造によってなる本考案は、第一弁体・第二弁体・大気圧力を用いて空気袋の正負圧力のバランスを調節することで、空気袋が受けた圧力（例えば頭・頚・臀部）の大きさに応じて高・低・軟・硬・形状が自動で調節される。これにより、空気袋の反作用力が低減することによって、当接部（例えば頭・頚・臀部）が自然で快適な支持力を得られるようになる。更に、空気袋の受ける圧力がなくなった後、自動で再充気されて原状回復することで、弾性部品の弾性弱化による変形が防止される。
【図面の簡単な説明】
【００２２】
【図１】本考案の斜視図である。
【図２】本考案の第一弁体及び第二弁体の斜視分解図である。
【図３】本考案の断面図である。
【図４】本考案の実施例１の使用図１である。
【図５】本考案の実施例１の使用図２である。
【図６】本考案の実施例１の使用図３である。
【図７】本考案の実施例１の使用図４である。
【図８】本考案の押止部品の斜視図である。
【図９】本考案の押止部品の実施例を示した使用図である。
【図１０】本考案の第一弁体・第二弁体が一つに結合された際の実施例図である。
【図１１】本考案の実施例２の断面図である。
【図１２】本考案の実施例２の使用図１である。
【図１３】本考案の実施例２の使用図２である。
【図１４】本考案の実施例２の使用図３である。
【図１５】本考案の実施例２の使用図４である。
【図１６】本考案の実施例２の使用図５である。
【図１７】本考案の実施例２の使用図６である。
【図１８】本考案の第三弁体の斜視分解図である。
【図１９】本考案の実施例３の断面図である。
【図２０】本考案の実施例３の使用図１であ。
【図２１】本考案の実施例３の使用図２である。
【図２２】本考案の実施例３の使用図３である。
【図２３】本考案の実施例３の使用図４である。
【図２４】本考案の実施例３の使用図５である。
【図２５】本考案の実施例３の使用図６である。
【図２６】本考案の実施例３の使用図７である。
【図２７】本考案の実施例３の使用図８である。
【図２８】本考案の実施例３の使用図９である。
【考案を実施するための形態】
【００２３】
（実施例１）
図１・図２・図３を参照する。本考案は、第一弁体１０と、第二弁体２０と、空気袋３０と、空気管４０とからなる。以下、詳しく説明する。
【００２４】
第一弁体１０は、第一通り穴１１と、第二通り穴１２と、作動棒１３と、第一弾性体１４とからなる。第一通り穴１１と第二通り穴１２は互いに連通する。作動棒１３一側は第一通り穴１１に貫設される。第一弾性体１４の弾性が作動棒１３に作用することにより、作動棒１３は第一通り穴１１を可動に閉鎖する。
【００２５】
第二弁体２０は、第三通り穴２１と、第四通り穴２２と、気密部品２３と、第二弾性体２４とからなる。第三通り穴２１と第四通り穴２４は互いに連通する。第二弾性体２４の弾性が気密部品２３に作用することにより、気密部品２３は第三通り穴２１を可動に閉鎖する。
【００２６】
空気袋３０内部には、弾性部品３１が設けられる。
【００２７】
空気管４０は、空気袋３０・第一弁体１０の第二通り穴１２・第二弁体２０の第四通り穴２２と連通する。
【００２８】
実施例の一つにおいて、第一弁体１０の作動棒１３には階段部１３１が設けられる。階段部１３１の外径は第一通り穴１１よりも大きく、第一通り穴１１を閉鎖或は離脱するために用いられる。
【００２９】
実施例の一つにおいて、第一弁体１０の作動棒１３一側は、第一通り穴１１に貫設されるとともに押圧部１５と結合され、これにより手で作動棒１３を押圧し易くなる。
【００３０】
実施例の一つにおいて、空気管４０は多方ジョイント５０と結合される。多方ジョイント５０は、空気袋３０・第一弁体１０・第二弁体２０と連通する。本実施例において、多方ジョイント５０は三方ジョイントである。
【００３１】
上述した空気袋３０は、マット体・枕体・座布団等の物品に用いられる。
【００３２】
図４を参照する。使用者が作動棒１３を押圧して下向きに移動させる（この時第一弾性体１４は圧縮されて位置戻りのための弾性力を蓄える）ことにより、階段部１３１が第一通り穴１１から離脱するとともに、第一通り穴１１・第二通り穴１２が互いに連通し、且つ外部の空気が第一通り穴１１・第二通り穴１２・空気管４０を経由して空気袋３０に入り込むことにより、空気袋３０の吸気が行われると同時に、弾性部品３１の補助によって空気袋３０が押し広げられる。
【００３３】
図５を参照する。空気袋３０・作動棒１３が同時に下方圧迫された（例えば頭・頚部・臀部が空気袋３０に当接した）場合、空気袋３０中の気体は空気管４０・第二通り穴１２・第一通り穴１１を経由するとともに、受けた圧力の大きさに応じて排気されることで、空気袋３０の高・低・軟・硬・形状が自動で調整される。
【００３４】
押圧部１５の受ける圧力がなくなった時（図示せず）、第一弾性体１４の弾性力を介して、作動棒１３が押し動かされて移動することで元の状態に戻るとともに、階段部１３１が再び第一通り穴１１を閉鎖する。この時、第三通り穴２１も気密部品２３によって閉鎖されており、空気袋３０が気密形を成した状態が保たれる。
【００３５】
以上により本考案は、第一弁体１０・第二弁体２０及び大気圧力を用いて空気袋３０の正負圧力のバランスを調節することで、空気袋３０が受けた圧力（例えば頭・頚・臀部）の大きさに応じて高・低・軟・硬・形状が自動で調整され、これにより操作性と精確性、及び微調整の効果が向上する。
【００３６】
このほか、弾性部品３１が空気袋３０内部に設けられているため、空気袋３０は弾性部品３１を制限して、弾性部品３１の反発を緩衝することが可能である。これにより、空気袋３０の反作用力が低減して、当接部（例えば頭・頚・臀部）が自然で快適な支持力を得られるようになる。
【００３７】
図６を参照する。空気袋３０の受ける圧力がなくなった（例えば頭・頚・臀部が空気袋３０から離れた）後、弾性部品３１が弾性的に元に戻って空気袋３０を押し広げるとともに、空気袋３０の気圧が気密部品２３を引き寄せることで第三通り穴２１が開放される。これにより、外部の空気が第三通り穴２１・第四通り穴２２・空気管４０を経由して空気袋３０に入ることで、空気袋３０が自動で再充気されて原状回復するため、弾性部品３１の弾性弱化による変形が防止される。
【００３８】
図７を参照する。引続き作動棒１３を押圧して下向きに移動させることで、第一通り穴１１の開状態が保たれる。この場合も同様に、空気袋３０が受けた圧力（例えば頭・頚・臀部）の大きさに応じて自動で高・低・軟・硬・形状が調整されることで、空気袋３０の反作用力が低減して、当接部（例えば頭・頚・臀部）が自然で快適な支持力を得られる。空気袋３０は自動で再充気されて原状回復するため、弾性部品３１の弾性弱化による変形が防止される。
【００３９】
第一弁体１０の第一通り穴１１が開状態を保つ場合、通常、空気袋３０は軟らかい状態となる。また、第一弁体１０の第一通り穴１１が閉状態を保つ場合、通常、空気袋３０は硬い状態となる。図８・図９を参照する。実施例の一つにおいて、本考案には押止部品１６が設けられる。押止部品１６は、可動に（例えば移動可能に）設けられるとともに、第一弁体１０の作動棒１３を押さえて下向きに移動させて、第一通り穴１１の開状態を保つために用いられる。
【００４０】
図１０を参照する。実施例の一つにおいて、第一弁体１０・第二弁体２０は一体をなすように結合される。
【００４１】
この場合も同様に、空気袋３０の受ける圧力がなくなった（例えば頭・頚・臀部が空気袋３０から離れた）後、弾性部品３１が弾性的に元に戻って空気袋３０を押し広げるとともに、空気袋３０の気圧が気密部品２３を引き寄せることで第三通り穴２１が開放される。これにより、外部の空気が第三通り穴２１・第四通り穴２２・第二通り穴１２・空気管４０を経由して空気袋３０に入ることで、空気袋３０が自動で再充気されて原状回復するため、弾性部品３１の弾性弱化による変形が防止される。
【００４２】
（実施例２）
図１１を参照する。実施例の一つにおいて、主に空気袋３０は三つあり、空気袋３０はマット体・枕体等の物品（例えば図中の仮想線）をなすことが可能である。多方ジョイント５０は五方ジョイントである。
【００４３】
図１２・図１３を参照する。第一弁体１０の第一通り穴１１が閉状態を保っているため、三つの空気袋３０の内部気圧は一定である。このうち一つの空気袋３０が圧力作用を受けた時、一部の気体がその他の空気袋３０へ排出されることで気圧の平衡が保たれる。これにより、空気袋３０が受けた圧力（例えば頭・頚・臀部）の大きさに応じて自動で高・低・軟・硬・形状が調整されることで、空気袋３０の反作用力が低減して、当接部（例えば頭・頚・臀部）が自然で快適な支持力を得られる。
【００４４】
このうち一つの空気袋３０の受ける圧力がなくなった後、弾性部品３１が再び空気袋３０を押し広げることで気圧が戻り、これにより空気袋３０が自動で再充気されて原状回復することで、弾性部品３１の弾性弱化による変形が防止される。
【００４５】
図１４・図１６を参照する。押止部品１６を移動させて第一弁体１０の作動棒１３を押さえることで、第一通り穴１１が開状態を保つようにする。このうち一つの空気袋３０が圧力作用を受けた時、空気袋３０内の一部の気体は空気管４０・多方ジョイント５０・第一通り穴１１から排出され、これにより気圧の平衡が保たれる。
【００４６】
以上により、空気袋３０が受けた圧力（例えば頭・頚・臀部）の大きさに応じて自動で高・低・軟・硬・形状が調整されることで、空気袋３０の反作用力が低減し、当接部（例えば頭・頚・臀部）が自然で快適な支持力を得られる。
【００４７】
図１５・図１７を参照する。このうち一つの空気袋３０の受ける圧力がなくなった後、弾性部品３１が弾性的に元に戻って空気袋３０を押し広げるとともに、空気袋３０の気圧が気密部品２３を引き寄せることで第三通り穴２１が開放される。これにより、外部の空気が第一通り穴１１・第三通り穴２１から空気袋３０に入ることで、空気袋３０が自動で再充気されて原状回復するため、弾性部品３１の弾性弱化による変形が防止される。
【００４８】
（実施例３）
図１８・図１９を参照する。実施例の一つにおいて、主に多方ジョイント５０は六方ジョイントであり、空気管４０は第三弁体６０・調圧弁７０と結合される。第三弁体６０は、第五通り穴６１と、第六通り穴６２と、第七通り穴６３と、第八通り穴６４と、二つの一方向弁群６５・６６とからなる。このうち一方向弁群６５は、気体が第七通り穴６３から第五通り穴６１に一方向にのみ入るようにするために用いられ（一方向弁群６５はバネと弁体の組合せであることが可能である）、一方向弁群６６は、気体が第五通り穴６１・第八通り穴６４を経由して第六通り穴６２に一方向にのみ入るようにするために用いられる（一方向弁群６６はバネと弁体の組合せであることが可能である）。また、調圧弁７０は一方向弁であり、空気管４０が所定の気圧に達した時、気体が調圧弁７０を経由して一方向にのみ排出されるようにするために用いられる。
【００４９】
実施例の一つにおいて、調圧弁７０には弾性弁口が設けられる。前記弾性弁口は、バネと弁体の組合せからなることが可能であり、且つバネの弾性力を変更することにより弁口が開かれるために要する気圧推力を変化させることが可能であるため、予め調圧弁７０を設定して、空気管４０が所定の気圧に達した時に自動で排出・圧力逃がしが行われるようにしておくことが出来る。
【００５０】
図２０・図２１を参照する。第一弁体１０の第一通り穴１１が閉状態を保っているため、三つの空気袋３０の内部気圧は一定である。中央に位置する空気袋３０が圧力作用を受けることで、第三弁体６０の一方向弁群６６が第八通り穴６４を開き、これにより一部の気体が第五通り穴６１・第八通り穴６４・第六通り穴６２を経由してその他の空気袋３０へと排出されることで、気圧の平衡が保たれる。
【００５１】
仮に、中央の空気袋３０が複数回の圧力作用を受けた場合、その他の空気袋３０は充気過剰となり、気体は調圧弁７０から一方向に排出される。
【００５２】
よって、空気袋３０が受けた圧力（例えば頭・頚・臀部）の大きさに応じて自動で高・低・軟・硬・形状が調整されることで、空気袋３０の反作用力が低減して、当接部（例えば頭・頚・臀部）が自然で快適な支持力を得られる。
【００５３】
図２２を参照する。中央に位置する空気袋３０の受ける圧力がなくなった後、弾性部品３１が再び空気袋３０を押し広げて気圧が戻ることにより、第三弁体６０の一方向弁群６５が第七通り穴６３を開いて、外部の気体が第七通り穴６３・第五通り穴６１を経由して空気袋３０に入り込む。これにより、空気袋３０が自動で再充気されて原状回復するため、弾性部品３１の弾性弱化による変形が防止される。
【００５４】
図２３・図２４を参照する。第一弁体１０の第一通り穴１１が閉状態を保っているため、三つの空気袋３０の内部気圧は一定である。左右側に位置するいずれか一つの空気袋３０が圧力作用を受けた時、第三弁体６０が作用しなくなり、これにより一部の気体が中央の空気袋３０以外の空気袋３０へと排出されることで、気圧の平衡が保たれる。
【００５５】
よって、空気袋３０が受けた圧力（例えば頭・頚・臀部）の大きさに応じて自動で高・低・軟・硬・形状が調整されることで、空気袋３０の反作用力が低減し、当接部（例えば頭・頚・臀部）が自然で快適な支持力を得られる。
【００５６】
左右側に位置するいずれか一つの空気袋３０の受ける圧力がなくなった後、弾性部品３１が再び空気袋３０を押し広げることで気圧が戻る。空気袋３０は自動で再充気されて原状回復するため、弾性部品３１の弾性弱化による変形が防止される。
【００５７】
図２５を参照する。押止部品１６を移動させて第一弁体１０の作動棒１３を押さえることで、第一通り穴１１の開状態が保たれる。左右側に位置するいずれか一つの空気袋３０が圧力作用を受けて、空気袋３０内の一部の気体が空気管４０・多方ジョイント５０・第一通り穴１１から排出されることで、気圧の平衡が保たれる。よって、空気袋３０が受けた圧力（例えば頭・頚・臀部）の大きさに応じて自動で高・低・軟・硬・形状が調整されることで、空気袋３０の反作用力が低減して、当接部（例えば頭・頚・臀部）が自然で快適な支持力を得られる。
【００５８】
図２６を参照する。左右側に位置するいずれか一つの空気袋３０の受ける圧力がなくなった後、弾性部品３１が弾性的に元に戻って空気袋３０を押し広げるとともに、空気袋３０の気圧が気密部品２３を引き寄せることで第三通り穴２１が開放される。これにより、外部の空気が第一通り穴１１・第三通り穴２１から空気袋３０に入ることで、空気袋３０が自動で再充気されて原状回復するため、弾性部品３１の弾性弱化による変形が防止される。
【００５９】
図２７を参照する。中央に位置する空気袋３０が圧力作用を受けることで、第三弁体６０の一方向弁群６６が第八通り穴６４を開き、これにより、一部の気体が第五通り穴６１・第八通り穴６４・第六通り穴６２・第一通り穴１１を経由して直接外部に排出されて、気圧の平衡が保たれる。
【００６０】
よって、空気袋３０が受けた圧力（例えば頭・頚・臀部）の大きさに応じて自動で高・低・軟・硬・形状が調整されることで、空気袋３０の反作用力が低減して、当接部（例えば頭・頚・臀部）が自然で快適な支持力を得られる。
【００６１】
図２８を参照する。中央に位置する空気袋３０の受ける圧力がなくなった後、弾性部品３１が再び空気袋３０を押し広げることで気圧が戻り、これにより第三弁体６０の一方向弁群６５が第七通り穴６３を開いて、外部の気体が第七通り穴６３・第五通り穴６１を経由して空気袋３０に入り込む。空気袋３０は自動で再充気されて原状回復するため、弾性部品３１の弾性弱化による変形が防止される。
【符号の説明】
【００６２】
１０    第一弁体
１１    第一通り穴
１２    第二通り穴
１３    作動棒
１３１    階段部
１４    第一弾性体
１５    押圧部
１６    押止部品
２０    第二弁体
２１    第三通り穴
２２    第四通り穴
２３    気密部品
２４    第二弾性体
３０    空気袋
３１    弾性部品
４０    空気管
５０    多方ジョイント
６０    第三弁体
６１    第五通り穴
６２    第六通り穴
６３    第七通り穴
６４    第八通り穴
６５・６６    一方向弁群
７０    調圧弁
【図１】
0003208766.tif 000003
【図２】
0003208766.tif 000004
【図３】
0003208766.tif 000005
【図４】
0003208766.tif 000006
【図５】
0003208766.tif 000007
【図６】
0003208766.tif 000008
【図７】
0003208766.tif 000009
【図８】
0003208766.tif 000010
【図９】
0003208766.tif 000011
【図１０】
0003208766.tif 000012
【図１１】
0003208766.tif 000013
【図１２】
0003208766.tif 000014
【図１３】
0003208766.tif 000015
【図１４】
0003208766.tif 000016
【図１５】
0003208766.tif 000017
【図１６】
0003208766.tif 000018
【図１７】
0003208766.tif 000019
【図１８】
0003208766.tif 000020
【図１９】
0003208766.tif 000021
【図２０】
0003208766.tif 000022
【図２１】
0003208766.tif 000023
【図２２】
0003208766.tif 000024
【図２３】
0003208766.tif 000025
【図２４】
0003208766.tif 000026
【図２５】
0003208766.tif 000027
【図２６】
0003208766.tif 000028
【図２７】
0003208766.tif 000029
【図２８】
0003208766.tif 000030